【手続補正書】
【提出日】平成20年8月6日(2008.8.6)
【手続補正１】
【補正対象書類名】明細書
【補正対象項目名】発明の名称
【補正方法】変更
【補正の内容】
【発明の名称】接続方法及び送受信装置
【手続補正２】
【補正対象書類名】明細書
【補正対象項目名】特許請求の範囲
【補正方法】変更
【補正の内容】
【特許請求の範囲】
【請求項１】  過去に接続した接続先の接続アドレスを当該接続先とのタイムスタンプ情報に関連付けて記憶部に記憶する記憶ステップと、
接続可能な接続先を探索する探索ステップと、
上記探索ステップで、上記接続可能な接続先のアドレスを取得する取得ステップと、
上記取得ステップにより取得された少なくとも１の取得アドレスが、上記接続アドレスと一致する一致アドレスであるとき、当該一致アドレスから最新のタイムスタンプ情報に関連付けられた最新アドレスを検索する検索ステップと、
上記最新アドレスに基づく接続先に接続する接続ステップと、
を備える接続方法。
【請求項２】  上記一致アドレスに関連付けて記憶されたタイムスタンプ情報を、上記最新アドレスに基づくタイムスタンプ情報に更新して上記記憶部に記憶する更新ステップ
を備える請求項１に記載の接続方法。
【請求項３】  タイムスタンプ情報に基づき一致アドレスに優先順位をつける優先順位ステップと、
優先順位に基づき、接続の試行を行う接続試行ステップと、
を備える請求項２に記載の接続方法。
【請求項４】  上記優先順位は,最新のタイムスタンプ情報に関連付けられたアドレスから最も古いタイムスタンプ情報に関連付けられたアドレスへ順に当該タイムスタンプ情報の時間の順に優先順位をつける、
請求項３に記載の接続方法。
【請求項５】  上記優先順位をユーザーが任意に優先順位を設定可能とする任意優先順位選択ステップ
を備える請求項３に記載の接続方法。
【請求項６】  ユーザーによる任意の接続先の選択と上記優先順位選択ステップとをユーザの判断によって切り替える切り替えステップ
を備える請求項３に記載の接続方法。
【請求項７】  あるカテゴリーに基づいて分類された上記接続アドレスにより構成されたメモリテーブルが上記記憶部に記憶され、
上記少なくとも１の取得アドレスに基づいて最適な上記メモリテーブルを選択するメモリテーブル選択ステップと、
上記メモリテーブル選択ステップで選択されたメモリテーブルを構成する接続アドレスと、上記取得アドレスが一致するとき、
上記検索ステップは、メモリテーブルを構成する接続アドレスから、最新のタイムスタンプ情報に関連付けられた最新アドレスを検索する、
請求項２に記載の接続方法。
【請求項８】  あるカテゴリーに基づいた分類とは、信号の種別による分類を行い、
メモリテーブル選択ステップは、上記信号の種別に基づき行う、
請求項７に記載の接続方法。
【請求項９】  あるカテゴリーに基づいた分類とは、記録媒体の種別による分類を行い、
メモリテーブル選択ステップは、上記記録媒体の種別に基づき行う、
請求項７に記載の接続方法。
【請求項１０】  過去に接続した接続先の接続アドレスを当該接続先との接続回数情報に関連付けて記憶部に記憶する記憶ステップと、
接続可能な接続先を探索する探索ステップと、
上記探索ステップで、上記接続可能な接続先のアドレスを取得する取得ステップと、
上記取得ステップにより取得された少なくとも１の取得アドレスが、上記接続アドレスと一致する一致アドレスであるとき、最多の接続回数情報に関連付けられた最多回数接続アドレスを検索する検索ステップと、
上記最多回数接続アドレスに基づく接続先に接続する接続ステップと、
を備える接続方法。
【請求項１１】  上記一致アドレスに関連付けて記憶された接続回数情報を上記接続ステップで接続先に接続したことに基づき更新する更新ステップ、
を備える請求項１０に記載の接続方法。
【請求項１２】  過去に接続した接続先のアドレスである接続アドレスを当該接続先とのタイムスタンプ情報に関連付けて記憶部に記憶する第一の記憶ステップと、
上記接続アドレスを接続回数情報と関連付けて上記記憶部に記憶する第二の記憶ステップと、
接続可能な接続先を探索する探索ステップと、
上記探索ステップで、上記接続可能な接続先のアドレスを取得する取得ステップと、
上記取得ステップにより取得された少なくとも１の取得アドレスが上記接続アドレスと一致する一致アドレスであるとき、
最新のタイムスタンプ情報に関連付けられた最新アドレスを検索する第一の検索ステップと、
最多の接続回数情報と関連付けられた最多回数接続アドレスを検索する第二の検索ステップと、
第一の検索ステップと第二の検索ステップとを選択する選択ステップと、
上記選択ステップにより選択された検索ステップで検索されたアドレスに基づく接続先に接続する接続ステップと、
を備える接続方法。
【請求項１３】  過去に接続した接続先の接続アドレスを当該接続先とのタイムスタンプ情報に関連付けて記憶する記憶部と、
接続可能な接続先を探索する探索部と、
上記探索部で、上記接続可能な接続先のアドレスを取得する取得部と、
上記取得部により取得された少なくとも１の取得アドレスが、上記接続アドレスと一致する一致アドレスであるとき、当該一致アドレスから最新のタイムスタンプ情報に関連付けられた最新アドレスを検索する検索部と、
上記最新アドレスに基づく接続先に接続する接続部と、
を備える送受信装置。
【請求項１４】  過去に接続した接続先の接続アドレスを当該接続先との接続回数情報に関連付けて記憶する記憶部と、
接続可能な接続先を探索する探索部と、
上記探索部で、上記接続可能な接続先のアドレスを取得する取得部と、
上記取得部により取得された少なくとも１の取得アドレスが、上記接続アドレスと一致する一致アドレスであるとき、最多の接続回数情報に関連付けられた最多回数接続アドレスを検索する検索部と、
上記最多回数接続アドレスに基づく接続先に接続する接続部と、
を備える送受信装置。
【手続補正３】
【補正対象書類名】明細書
【補正対象項目名】０００１
【補正方法】変更
【補正の内容】
【０００１】
【発明の属する技術分野】
本発明は、例えば、送信された情報を受信すると共に、受信した信号を出力する接続方法及び送受信装置に関するものである。
【手続補正４】
【補正対象書類名】明細書
【補正対象項目名】０００４
【補正方法】変更
【補正の内容】
【０００４】
そこで、本発明は、かかる点に鑑みてなされたものであり、接続先の指定において、ユーザーの明示的な指定なしに自動的に接続先を決定することができる接続方法及び送受信装置を提供することを課題とする。
【手続補正５】
【補正対象書類名】明細書
【補正対象項目名】０００５
【補正方法】変更
【補正の内容】
【０００５】
【課題を解決するための手段】
本発明の接続方法は、過去に接続した接続先の接続アドレスを当該接続先とのタイムスタンプ情報に関連付けて記憶部に記憶する記憶ステップと、
接続可能な接続先を探索する探索ステップと、
上記探索ステップで、上記接続可能な接続先のアドレスを取得する取得ステップと、
上記取得ステップにより取得された少なくとも１の取得アドレスが、上記接続アドレスと一致する一致アドレスであるとき、当該一致アドレスから最新のタイムスタンプ情報に関連付けられた最新アドレスを検索する検索ステップと、
上記最新アドレスに基づく接続先に接続する接続ステップと、
を備えるものである。
【手続補正６】
【補正対象書類名】明細書
【補正対象項目名】０００６
【補正方法】変更
【補正の内容】
【０００６】
また本発明の接続方法は、過去に接続した接続先の接続アドレスを当該接続先との接続回数情報に関連付けて記憶部に記憶する記憶ステップと、
接続可能な接続先を探索する探索ステップと、
上記探索ステップで、上記接続可能な接続先のアドレスを取得する取得ステップと、
上記取得ステップにより取得された少なくとも１の取得アドレスが、上記接続アドレスと一致する一致アドレスであるとき、最多の接続回数情報に関連付けられた最多回数接続アドレスを検索する検索ステップと、
上記最多回数接続アドレスに基づく接続先に接続する接続ステップと、
を備える接続方法。
【手続補正７】
【補正対象書類名】明細書
【補正対象項目名】０００７
【補正方法】変更
【補正の内容】
【０００７】
また本発明の送受信装置は、過去に接続した接続先の接続アドレスを当該接続先とのタイムスタンプ情報に関連付けて記憶する記憶部と、
接続可能な接続先を探索する探索部と、
上記探索部で、上記接続可能な接続先のアドレスを取得する取得部と、
上記取得部により取得された少なくとも１の取得アドレスが、上記接続アドレスと一致する一致アドレスであるとき、当該一致アドレスから最新のタイムスタンプ情報に関連付けられた最新アドレスを検索する検索部と、
上記最新アドレスに基づく接続先に接続する接続部と、
を備えるものである。
【手続補正８】
【補正対象書類名】明細書
【補正対象項目名】０００８
【補正方法】変更
【補正の内容】
【０００８】
また本発明の送受信装置は、過去に接続した接続先の接続アドレスを当該接続先との接続回数情報に関連付けて記憶する記憶部と、
接続可能な接続先を探索する探索部と、
上記探索部で、上記接続可能な接続先のアドレスを取得する取得部と、
上記取得部により取得された少なくとも１の取得アドレスが、上記接続アドレスと一致する一致アドレスであるとき、最多の接続回数情報に関連付けられた最多回数接続アドレスを検索する検索部と、
上記最多回数接続アドレスに基づく接続先に接続する接続部と、
を備えるものである。
【手続補正９】
【補正対象書類名】明細書
【補正対象項目名】０１０８
【補正方法】変更
【補正の内容】
【０１０８】
【発明の効果】
この発明によると、送信装置が接続する受信装置を自動的に決定する際に、過去に接続された優先順位情報の記録から優先順位を決めておいて、この優先順位に基づいて接続先の受信装置を自動的に選択することができるという効果を奏する。
【手続補正１０】
【補正対象書類名】明細書
【補正対象項目名】０１０９
【補正方法】変更
【補正の内容】
【０１０９】
また、この発明は、タイムスタンプ情報を優先順位情報として最新のタイムスタンプの接続先を選択することができるという効果を奏する。
【手続補正１１】
【補正対象書類名】明細書
【補正対象項目名】０１１０
【補正方法】変更
【補正の内容】
【０１１０】
また、この発明は、接続回数情報を優先順位情報として最多接続回数の接続先を選択することができるという効果を奏する。
【手続補正１２】
【補正対象書類名】明細書
【補正対象項目名】０１１１
【補正方法】変更
【補正の内容】
【０１１１】
また、この発明は、タイムスタンプ情報または接続回数情報を切り替えて接続先の選択動作をすることができるという効果を奏する。
【手続補正１３】
【補正対象書類名】明細書
【補正対象項目名】０１１２
【補正方法】変更
【補正の内容】
【０１１２】
また、この発明は、最新の接続先から古い接続先へ順に選択し、接続の試行を繰り返すことができるという効果を奏する。
【手続補正１４】
【補正対象書類名】明細書
【補正対象項目名】０１１３
【補正方法】変更
【補正の内容】
【０１１３】
また、この発明は、最多接続回数の接続先から最少接続回数の接続先へ順に選択し、接続の試行を繰り返すことができるという効果を奏する。
【手続補正１５】
【補正対象書類名】明細書
【補正対象項目名】０１１４
【補正方法】変更
【補正の内容】
【０１１４】
また、この発明は、最新の接続先から古い接続先へ順に選択し、接続の試行を繰り返すか、または最多接続回数の接続先から最少接続回数の接続先へ順に選択し、接続の試行を繰り返すかを切り替えることができるという効果を奏する。
【手続補正１６】
【補正対象書類名】明細書
【補正対象項目名】０１１５
【補正方法】変更
【補正の内容】
【０１１５】
また、この発明は、優先順位情報は、接続動作に基づいて更新されるので、接続動作に基づいてタイムスタンプまたは接続回数を更新することができるという効果を奏する。
【手続補正１７】
【補正対象書類名】明細書
【補正対象項目名】０１１６
【補正方法】変更
【補正の内容】
【０１１６】
また、この発明は、ユーザーは自ら指定した接続先に基づいて優先順位を設定することができるという効果を奏する。
【手続補正１８】
【補正対象書類名】明細書
【補正対象項目名】０１１７
【補正方法】変更
【補正の内容】
【０１１７】
また、この発明は、予め定められた優先順位の接続先とユーザーが自ら指定した接続先とを切り替えることができるという効果を奏する。
【手続補正１９】
【補正対象書類名】明細書
【補正対象項目名】０１１８
【補正方法】削除
【補正の内容】
【手続補正２０】
【補正対象書類名】明細書
【補正対象項目名】０１１９
【補正方法】削除
【補正の内容】